(57)【特許請求の範囲】
【請求項１】
ひとつの基地局と複数の加入者局とが固定された場所で時分割多元接続方式により通信する固定無線アクセスシステムにおける、スロットデマンドタイムスロット割り当て方法であって、
スロットデマンドタイムスロット割り当て手段が、無線フレームのスロットデマンドタイムスロットの割り当てを開始するステップ（ｓ１０１）と、
スロットデマンドタイムスロット割り当て手段が、サービスの品質が高く設定された加入者局を識別する高品質加入者局ナンバーを表す変数（ｍ１）、該高品質加入者局以外の加入者局を識別する一般加入者局ナンバーを表す変数（ｍ２）をそれぞれ１に設定するステップ（ｓ１０２）と、
スロットデマンドタイムスロット割り当て手段が、スロットデマンドのタイムスロットを識別するスロットデマンドナンバーを表す変数（ｎ）を１に設定するステップ（Ｓ１０３）と、
スロットデマンドタイムスロット割り当て手段が、スロットデマンドナンバー（ｎ）の値を調べ、ｎの値が高品質加入者局用に確保されたスロットデマンドタイムスロット数を表すパラメータ（ｐ）以下であるか否かを判断するステップ（Ｓ１０４）と、
スロットデマンドタイムスロット割り当て手段が、ｎの値が該パラメータ（ｐ）以下である場合に、高品質加入者局（ｍ１）からのスロットデマンドＵser（ｍ１）を、スロットデマンドタイムスロット（ＳＤ（ｎ））に割り当てるステップ（Ｓ１０５）と、
スロットデマンドタイムスロット割り当て手段が、ｎ＝ｎ＋１、ｍ１＝ｍ１＋１とするステップ（ｓ１０６）と、
スロットデマンドタイムスロット割り当て手段が、ｍ１の値を調べ、ｍ１の値がＭ１以下である場合には、前記ステップｓ１０４へ戻るステップ（Ｓ１０７）と、
スロットデマンドタイムスロット割り当て手段が、ｍ１の値があらかじめ設定された高品質加入者局ナンバー（ｍ１）の最大値Ｍ１よりも大きい場合に、ｍ１＝１とした後、前記ステップｓ１０４へ戻るステップ（ｓ１０８）と、
スロットデマンドタイムスロット割り当て手段が、前記ステップｓ１０４でｎの値がｐよりも大きくなった場合に、一般加入者局（ｍ２）からのスロットデマンドＵser（ｍ２）を、スロットデマンドタイムスロット（ＳＤ（ｎ））に割り当てるステップ（Ｓ１０９）と、
スロットデマンドタイムスロット割り当て手段が、ｎ＝ｎ＋１、ｍ２＝ｍ２＋１とするステップ（Ｓ１１０）と、
スロットデマンドタイムスロット割り当て手段が、ステップｓ１１１でｍ２の値を調べるステップ（Ｓ１１１）と、
スロットデマンドタイムスロット割り当て手段が、ｍ２の値があらかじめ設定された一般加入者局ナンバー（ｍ２）の最大値Ｍ２よりも大きい場合に、ｍ２＝１とするステップ（Ｓ１１２）と、
スロットデマンドタイムスロット割り当て手段が、前記ステップｓ１１１でｍ２の値がＭ２以下である場合または前記ステップＳ１１２でｍ２＝１とした場合に、ｎの値を調べ、ｎの値が、無線フレームにあらかじめ用意された、全スロットデマンドタイムスロット数Ｎ以下の場合に、前記ステップＳ１０９へ戻り、他方、ｎの値が、Ｎよりも大きい場合に、無線フレーム（Ｔ）のスロットデマンドタイムスロットの割り当てを終了するステップ（ステップｓ１１３）と、
を有することを特徴とするスロットデマンドタイムスロット割り当て方法。
【請求項２】
ひとつの基地局と複数の加入者局とが固定された場所で時分割多元接続方式により通信する固定無線アクセスシステムであって、
無線フレームのスロットデマンドタイムスロットの割り当てを開始し、
サービスの品質が高く設定された加入者局を識別する高品質加入者局ナンバーを表す変数（ｍ１）、該高品質加入者局以外の加入者局を識別する一般加入者局ナンバーを表す変数（ｍ２）を、それぞれ１に設定し、
スロットデマンドタイムスロットを識別するスロットデマンドナンバーを表す変数（ｎ）を１に設定し、
スロットデマンドナンバー（ｎ）の値を調べ、ｎの値が高品質加入者局用に確保されたスロットデマンドのタイムスロット数を表すパラメータ（ｐ）以下であるか否かを判断し、
ｎの値が該パラメータ（ｐ）以下である場合に、高品質加入者局（ｍ１）からのスロットデマンドＵser（ｍ１）を、スロットデマンドタイムスロット（ＳＤ（ｎ））に割り当て、
ｎ＝ｎ＋１、ｍ１＝ｍ１＋１とし、
ｍ１の値を調べ、ｍ１の値がＭ１以下である場合には、再度、スロットデマンドナンバー（ｎ）の値を調べ、ｎの値が高品質加入者局用に確保されたスロットデマンドのタイムスロット数を表すパラメータ（ｐ）以下であるか否かを判断し、
ｍ１の値があらかじめ設定された高品質加入者局ナンバー（ｍ１）の最大値Ｍ１よりも大きい場合に、ｍ１＝１とし、再度、スロットデマンドナンバー（ｎ）の値を調べ、ｎの値が高品質加入者局用に確保されたスロットデマンドのタイムスロット数を表すパラメータ（ｐ）以下であるか否かを判断し、
前記ステップｓ１０４でｎの値がｐよりも大きくなった場合に、一般加入者局（ｍ２）からのスロットデマンドＵser（ｍ２）を、スロットデマンドタイムスロット（ＳＤ（ｎ））に割り当て、
ｎ＝ｎ＋１、ｍ２＝ｍ２＋１とし、ｍ２の値を調べ、
ｍ２の値があらかじめ設定された一般加入者局ナンバー（ｍ２）の最大値Ｍ２よりも大きい場合には、ｍ２＝１とし、ｎの値を調べ、ｎの値が、Ｎよりも大きい場合に、無線フレーム（Ｔ）のスロットデマンドタイムスロットの割り当てを終了し、
他方、ｍ２の値がＭ２以下である場合には、ｎの値を調べ、ｎの値が、無線フレームにあらかじめ用意された、Ｎよりも大きい場合に、無線フレーム（Ｔ）のスロットデマンドタイムスロットの割り当てを終了する、スロットデマンドタイムスロット割り当て手段を有することを特徴とする固定無線アクセスシステム。
【請求項３】
ひとつの基地局と複数の加入者局とが固定された場所で時分割多元接続方式により通信する固定無線アクセスシステムにおける、スロットデマンドタイムスロット割り当て方法であって、
スロットデマンドタイムスロット割り当て手段が、無線フレームのスロットデマンドタイムスロットの割り当てを開始するステップ（ｓ２０１）と、
スロットデマンドタイムスロット割り当て手段が、一般加入者局ナンバーを表す変数（ｍ２）を１に設定するステップ（ｓ２０２）と、
スロットデマンドタイムスロット割り当て手段が、高品質加入者局ナンバーを表す変数（ｍ１）、スロットデマンドナンバーを表す変数（ｎ）を１に設定するステップ（Ｓ２０３）と、
スロットデマンドタイムスロット割り当て手段が、高品質加入者局（ｍ１）からのスロットデマンドＵser（ｍ１）を、スロットデマンドタイムスロットＳＤ（ｎ）に割り当てるステップ（Ｓ２０４）と、
スロットデマンドタイムスロット割り当て手段が、ｎ＝ｎ＋１、ｍ１＝ｍ１＋１とするステップ（ｓ２０５）と、
スロットデマンドタイムスロット割り当て手段が、ｎの値を調べ、ｎの値があらかじめ設定された高品質加入者局ナンバー（ｍ１）の最大値Ｍ１以下である場合に前記ステップｓ２０４に戻るステップ（ｓ２０６）と、
スロットデマンドタイムスロット割り当て手段が、ｎの値があらかじめ設定された高品質加入者局ナンバー（ｍ１）の最大値Ｍ１よりも大きい場合に、一般加入者局（ｍ２）からのスロットデマンドＵser（ｍ２）を、スロットデマンドタイムスロット（ＳＤ（ｎ））に割り当てるステップ（Ｓ２０７）と、
スロットデマンドタイムスロット割り当て手段が、ｎ＝ｎ＋１、ｍ２＝ｍ２＋１とするステップ（ｓ２０８）と、
スロットデマンドタイムスロット割り当て手段が、ｍ２の値を調べるステップ（ｓ２０９）と、スロットデマンドタイムスロット割り当て手段が、ｍ２の値があらかじめ設定された一般加入者局ナンバー（ｍ２）の最大値Ｍ２よりも大きい場合に、ｍ２＝１とするステップ（ｓ２１０）と、
スロットデマンドタイムスロット割り当て手段が、ｍ２の値がＭ２以下である場合または前記ステップｓ２１０でｍ２＝１とした場合に、ｎの値を調べ、ｎの値が、無線フレームにあらかじめ用意された、全スロットデマンドタイムスロット数Ｎ以下の場合はステップＳ２０７へ戻るステップ（ｓ２１１）と、
スロットデマンドタイムスロット割り当て手段が、前記ステップｓ２１１でｎの値を調べた結果、ｎの値が、Ｎよりも大きい場合に、無線フレームのスロットデマンドタイムスロットの割り当てを終了するステップ（Ｓ２１２）と、
を有することを特徴とするスロットデマンドタイムスロット割り当て方法。
【請求項４】
ひとつの基地局と複数の加入者局とが固定された場所で時分割多元接続方式により通信する固定無線アクセスシステムであって、
無線フレームのスロットデマンドタイムスロットの割り当てを開始し、
一般加入者局ナンバーを表す変数（ｍ２）を１に設定し、
高品質加入者局ナンバーを表す変数（ｍ１）、スロットデマンドナンバーを表す変数（ｎ）を１に設定し、
高品質加入者局（ｍ１）からのスロットデマンドＵser（ｍ１）を、スロットデマンドタイムスロットＳＤ（ｎ）に割り当て、
ｎ＝ｎ＋１、ｍ１＝ｍ１＋１とし、
ｎの値を調べ、ｎの値があらかじめ設定された高品質加入者局ナンバー（ｍ１）の最大値Ｍ１以下である場合に、高品質加入者局（ｍ１）からのスロットデマンドＵser（ｍ１）を、スロットデマンドタイムスロットＳＤ（ｎ）に割り当て、
ｎ＝ｎ＋１、ｍ１＝ｍ１＋１とし、
ｎの値があらかじめ設定された高品質加入者局ナンバー（ｍ１）の最大値Ｍ１よりも大きい場合に、一般加入者局（ｍ２）からのスロットデマンドＵser（ｍ２）を、スロットデマンドタイムスロット（ＳＤ（ｎ））に割り当て、
ｎ＝ｎ＋１、ｍ２＝ｍ２＋１とし、
ｍ２の値を調べ、
ｍ２の値があらかじめ設定された一般加入者局ナンバー（ｍ２）の最大値Ｍ２よりも大きい場合に、ｍ２＝１とし、
ｎの値を調べ、ｎの値が、Ｎよりも大きい場合に、無線フレームのスロットデマンドタイムスロットの割り当てを終了し、
他方、ｍ２の値がＭ２以下である場合に、ｎの値を調べ、ｎの値が、Ｎよりも大きい場合に、無線フレームのスロットデマンドタイムスロットの割り当てを終了する、
スロットデマンドタイムスロット割り当て手段を有することを特徴とする固定無線アクセスシステム。
【発明の詳細な説明】
【０００１】
【発明の属する技術分野】
本発明は、スロットデマンドタイムスロットの割り当て方法および固定無線アクセスシステムに関し、特に、時分割多元接続方式（ＴＤＭＡ：Ｔｉｍｅ  Ｄｉｖｉｓｉｏｎ  Ｍｕｌｔｉｐｌｅ  Ａｃｃｅｓｓ）により、ひとつの基地局に対して複数の加入者局が通信を行う、ポイント−マルチポイント型の固定無線アクセスシステムにおけるスロットデマンドタイムスロットの割り当て方法および固定無線アクセスシステムに関する。
【０００２】
本明細書において、スロットデマンドタイムスロットとは、無線フレームを構成する時間帯のうち、上り回線において加入者局のスロットデマンドの送信に割り当てられる時間帯をいう。
【０００３】
【従来の技術】
従来のＩＰ系サービスではベストエフォート型のサービスが主流であった。このため、ＴＤＭＡ通信を使った固定無線アクセス方式では、ラウンドロビン制御に代表されるように、ひとつの基地局配下に収容される複数の加入者局の間で通信の品質の公平性を担保する技術が主として使用されてきた。以下、かかる従来の技術を図３と図４とを用いて説明する。
【０００４】
図３は、ＴＤＭＡ方式を使ったｐ−ＭＰ型の無線アクセスシステムにおける、従来の無線フレームを示す図であり、ＴＳは、時間帯（以下、「タイムスロット」という）を表す。
【０００５】
ＴＳ１１（Ｔｉｍｅ Ｓlot１１）は、下りヘッダ領域を示す。この下りヘッダ領域は、下り回線、上り回線のトラフィック量に応じて決められるタイムスロットの割り当てに関する指示や監視制御情報などを、基地局が各加入者局へ報知するためのタイムスロットである。
【０００６】
ＴＳ１２は、下り回線において基地局から加入者局へトラフィックを送信するためのタイムスロットである。ＴＳ１３は基地局と各加入者局の間の伝搬遅延を計測するためのタイムスロットであり、加入者局からの無線パケットの送信タイミングを調整して各加入者局からの無線パケットが基地局で衝突しないようにするために設けられている。
【０００７】
加入者局が基地局へトラフィックを送信するためには、該送信のためのタイムスロットが必要となる。このため、各加入者局は、トラフィックを送信する前に、該タイムスロットを無線フレームに割り当てるように要求するタイムスロット割り当て要求信号（スロットデマンド）を送信する。
【０００８】
ＴＳ１４は、このスロットデマンドを加入者局から基地局へ送信するためのタイムスロットである。ＴＳ１４には、後述する図４に示す方法により、複数の加入者局からのスロットデマンドに対してタイムスロットが割り当てられる。以下、該スロットデマンドに対して割り当てられるタイムスロットをスロットデマンドタイムスロットという。
【０００９】
ＴＳ１５は、各加入者局から送信されたスロットデマンドに応じて割り当てられた、加入者局が基地局へトラフィックを送信するためのタイムスロットである。複数のスロットデマンドがなされた場合には、複数のタイムスロットがＴＳ１５に割り当てられる。
【００１０】
ＴＳ１６は、上り回線と下り回線との境界に設定されたガードタイムであり、あらかじめ固定されたパラメータである。
【００１１】
図４は、従来のスロットデマンドタイムスロットの割り当て方法を示す図である。ステップｓ４０１で、時刻Ｔにおける無線フレーム（以下、「無線フレーム（Ｔ）」という）のスロットデマンドタイムスロットの割り当てが開始される。ステップｓ４０２で、加入者局を識別する番号である加入者局ナンバーの変数を表すｍの初期値が１に設定され、ステップｓ４０３で、スロットデマンドタイムスロットを識別する番号であるスロットデマンドタイムスロットナンバーを表すｎの初期値が１に設定される。
【００１２】
ステップｓ４０４で、スロットデマンドタイムスロットＳＤ（ｎ）に加入者局ナンバーmのスロットデマンドＵｓｅｒ（ｍ）が割り当てられる。
ステップｓ４０５でｎの値がＮ以下の場合は、ステップｓ４０６でｎ＝ｎ＋１，ｍ＝ｍ＋１として、ステップｓ４０７に進む。
【００１３】
ステップＳ４０７で、ｍの値を調べ、ｍの値があらかじめ設定された加入者局ナンバーの最大値であるＭよりも大きい場合はステップｓ４０８でｍ＝１としてステップｓ４０４へ戻る。またステップｓ４０７でｍの値がＭ以下である場合はそのままステップｓ４０４へ戻る。
【００１４】
他方、ステップｓ４０５で、ｎの値が測定され、ｎの値があらかじめ設定されたスロットデマンドタイムスロットナンバーの最大値Ｎよりも大きい場合はステップｓ４０９へ進み、無線フレーム（Ｔ）のスロットデマンドタイムスロットの割り当てを終了する。
【００１５】
そして、その後、時刻（Ｔ＋１）における無線フレームのスロットデマンドタイムスロットの割り当てが開始される。
【００１６】
無線フレーム（Ｔ）におけるスロットデマンドタイムスロットの各加入者局への割り当ての有無や、ＴＳ１４における各スロットデマンドタイムスロットの並び方などの情報は、前記ＴＳ１１で、基地局から加入者局へ送信される。
加入者局は、ＴＳ１１で送信された情報により、自己にスロットデマンドのためのタイムスロットが割り当てられたことを知る。従来は、上記方法により、スロットデマンドタイムスロットを割り当てていた。
【００１７】
【発明が解決しようとする課題】
しかし、最近、通信の品質を差別化する技術が必要となってきている。というのは、ＩＰ系技術の向上に伴う多種多様なＩＰ系サービスの出現により、ＩＰ系サービスの利用形態が多様化してきているからである。このためには、多様化する利用形態に応じた多様な品質の通信を提供するする必要がある。したがって、従来のように、スロットデマンドタイムスロットを各加入者局で公平になるように割り当てる方法では、かかる差別化を実現することができないため問題である。
【００１８】
そこで、本発明は、かかる事情に鑑み、ひとつの基地局に収容されている複数の加入者局間において、通信の品質における差別化を実現することのできるスロットデマンドタイムスロットの割り当て方法を提供することを目的とする。
【００１９】
【課題を解決するための手段】
上記課題は、前記特許請求の範囲に記載の手段により解決される。すなわち、請求項１に記載の発明は、ひとつの基地局と複数の加入者局とが固定された場所で時分割多元接続方式により通信する固定無線アクセスシステムにおける、スロットデマンドタイムスロット割り当て方法であって、
【００２１】
請求項１に記載の発明は、ひとつの基地局と複数の加入者局とが固定された場所で時分割多元接続方式により通信する固定無線アクセスシステムにおける、スロットデマンドタイムスロット割り当て方法であって、スロットデマンドタイムスロット割り当て手段が、無線フレームのスロットデマンドタイムスロットの割り当てを開始するステップ（ｓ１０１）と、
【００２２】
スロットデマンドタイムスロット割り当て手段が、サービスの品質が高く設定された加入者局を識別する高品質加入者局ナンバーを表す変数（ｍ１）、該高品質加入者局以外の加入者局を識別する一般加入者局ナンバーを表す変数（ｍ２）を、それぞれ１に設定するステップ（ｓ１０２）と、
【００２３】
スロットデマンドタイムスロット割り当て手段が、スロットデマンドのタイムスロットを識別するスロットデマンドナンバーを表す変数（ｎ）を１に設定するステップ（Ｓ１０３）と、スロットデマンドタイムスロット割り当て手段が、スロットデマンドナンバー（ｎ）の値を調べ、ｎの値が高品質加入者局用に確保されたスロットデマンドタイムスロット数を表すパラメータ（ｐ）以下であるか否かを判断するステップ（Ｓ１０４）と、
【００２４】
スロットデマンドタイムスロット割り当て手段が、ｎの値が該パラメータ（ｐ）以下である場合に、高品質加入者局（ｍ１）からのスロットデマンドＵser（ｍ１）を、スロットデマンドタイムスロット（ＳＤ（ｎ））に割り当てるステップ（Ｓ１０５）と、スロットデマンドタイムスロット割り当て手段が、ｎ＝ｎ＋１、ｍ１＝ｍ１＋１とするステップ（ｓ１０６）と、
【００２５】
スロットデマンドタイムスロット割り当て手段が、ｍ１の値を調べ、ｍ１の値がＭ１以下である場合には、前記ステップｓ１０４へ戻るステップ（Ｓ１０７）と、スロットデマンドタイムスロット割り当て手段が、ｍ１の値があらかじめ設定された高品質加入者局ナンバー（ｍ１）の最大値Ｍ１よりも大きい場合に、ｍ１＝１とした後、前記ステップｓ１０４へ戻るステップ（ｓ１０８）と、
【００２６】
スロットデマンドタイムスロット割り当て手段が、前記ステップｓ１０４でｎの値がｐよりも大きくなった場合に、一般加入者局（ｍ２）からのスロットデマンドＵser（ｍ２）を、スロットデマンドタイムスロット（ＳＤ（ｎ））に割り当てるステップ（Ｓ１０９）と、スロットデマンドタイムスロット割り当て手段が、ｎ＝ｎ＋１、ｍ２＝ｍ２＋１とするステップ（Ｓ１１０）と、
【００２７】
スロットデマンドタイムスロット割り当て手段が、ステップｓ１１１でｍ２の値を調べるステップ（Ｓ１１１）と、スロットデマンドタイムスロット割り当て手段が、ｍ２の値があらかじめ設定された一般加入者局ナンバー（ｍ２）の最大値Ｍ２よりも大きい場合に、ｍ２＝１とするステップ（Ｓ１１２）と、
【００２８】
スロットデマンドタイムスロット割り当て手段が、前記ステップｓ１１１でｍ２の値がＭ２以下である場合または前記ステップＳ１１２でｍ２＝１とした場合に、ｎの値を調べ、ｎの値が、無線フレームにあらかじめ用意された、全スロットデマンドタイムスロット数Ｎ以下の場合に、前記ステップＳ１０９へ戻り、他方、ｎの値が、Ｎよりも大きい場合に、無線フレーム（Ｔ）のスロットデマンドタイムスロットの割り当てを終了するステップ（ステップｓ１１３）と、を有することを特徴とするスロットデマンドタイムスロット割り当て方法である。
【００３０】
請求項２に記載の発明は、ひとつの基地局と複数の加入者局とが固定された場所で時分割多元接続方式により通信する固定無線アクセスシステムであって、無線フレームのスロットデマンドタイムスロットの割り当てを開始し、サービスの品質が高く設定された加入者局を識別する高品質加入者局ナンバーを表す変数（ｍ１）、該高品質加入者局以外の加入者局を識別する一般加入者局ナンバーを表す変数（ｍ２）を、それぞれ１に設定し、
【００３１】
スロットデマンドタイムスロットを識別するスロットデマンドナンバーを表す変数（ｎ）を１に設定し、スロットデマンドナンバー（ｎ）の値を調べ、ｎの値が高品質加入者局用に確保されたスロットデマンドのタイムスロット数を表すパラメータ（ｐ）以下であるか否かを判断し、ｎの値が該パラメータ（ｐ）以下である場合に、高品質加入者局（ｍ１）からのスロットデマンドＵser（ｍ１）を、スロットデマンドタイムスロット（ＳＤ（ｎ））に割り当て、
【００３２】
ｎ＝ｎ＋１、ｍ１＝ｍ１＋１とし、ｍ１の値を調べ、ｍ１の値がＭ１以下である場合には、再度、スロットデマンドナンバー（ｎ）の値を調べ、ｎの値が高品質加入者局用に確保されたスロットデマンドのタイムスロット数を表すパラメータ（ｐ）以下であるか否かを判断し、ｍ１の値があらかじめ設定された高品質加入者局ナンバー（ｍ１）の最大値Ｍ１よりも大きい場合に、ｍ１＝１とし、再度、スロットデマンドナンバー（ｎ）の値を調べ、ｎの値が高品質加入者局用に確保されたスロットデマンドのタイムスロット数を表すパラメータ（ｐ）以下であるか否かを判断し、
【００３３】
前記ステップｓ１０４でｎの値がｐよりも大きくなった場合に、一般加入者局（ｍ２）からのスロットデマンドＵser（ｍ２）を、スロットデマンドタイムスロット（ＳＤ（ｎ））に割り当て、ｎ＝ｎ＋１、ｍ２＝ｍ２＋１とし、ｍ２の値を調べ、ｍ２の値があらかじめ設定された一般加入者局ナンバー（ｍ２）の最大値Ｍ２よりも大きい場合には、ｍ２＝１とし、ｎの値を調べ、ｎの値が、Ｎよりも大きい場合に、無線フレーム（Ｔ）のスロットデマンドタイムスロットの割り当てを終了し、
【００３４】
他方、ｍ２の値がＭ２以下である場合には、ｎの値を調べ、ｎの値が、無線フレームにあらかじめ用意された、Ｎよりも大きい場合に、無線フレーム（Ｔ）のスロットデマンドタイムスロットの割り当てを終了する、スロットデマンドタイムスロット割り当て手段を有することを特徴とする固定無線アクセスシステムである。
【００３７】
請求項３に記載の発明は、ひとつの基地局と複数の加入者局とが固定された場所で時分割多元接続方式により通信する固定無線アクセスシステムにおける、スロットデマンドタイムスロット割り当て方法であって、スロットデマンドタイムスロット割り当て手段が、無線フレームのスロットデマンドタイムスロットの割り当てを開始するステップ（ｓ２０１）と、スロットデマンドタイムスロット割り当て手段が、一般加入者局ナンバーを表す変数（ｍ２）を１に設定するステップ（ｓ２０２）と、
【００３８】
スロットデマンドタイムスロット割り当て手段が、高品質加入者局ナンバーを表す変数（ｍ１）、スロットデマンドナンバーを表す変数（ｎ）を１に設定するステップ（Ｓ２０３）と、スロットデマンドタイムスロット割り当て手段が、高品質加入者局（ｍ１）からのスロットデマンドＵser（ｍ１）を、スロットデマンドタイムスロットＳＤ（ｎ）に割り当てるステップ（Ｓ２０４）と、スロットデマンドタイムスロット割り当て手段が、ｎ＝ｎ＋１、ｍ１＝ｍ１＋１とするステップ（ｓ２０５）と、
【００３９】
スロットデマンドタイムスロット割り当て手段が、ｎの値を調べ、ｎの値があらかじめ設定された高品質加入者局ナンバー（ｍ１）の最大値Ｍ１以下である場合に前記ステップｓ２０４に戻るステップ（ｓ２０６）と、スロットデマンドタイムスロット割り当て手段が、ｎの値があらかじめ設定された高品質加入者局ナンバー（ｍ１）の最大値Ｍ１よりも大きい場合に、一般加入者局（ｍ２）からのスロットデマンドＵser（ｍ２）を、スロットデマンドタイムスロット（ＳＤ（ｎ））に割り当てるステップ（Ｓ２０７）と、
【００４０】
スロットデマンドタイムスロット割り当て手段が、ｎ＝ｎ＋１、ｍ２＝ｍ２＋１とするステップ（ｓ２０８）と、スロットデマンドタイムスロット割り当て手段が、ｍ２の値を調べるステップ（ｓ２０９）と、スロットデマンドタイムスロット割り当て手段が、ｍ２の値があらかじめ設定された一般加入者局ナンバー（ｍ２）の最大値Ｍ２よりも大きい場合に、ｍ２＝１とするステップ（ｓ２１０）と、
【００４１】
スロットデマンドタイムスロット割り当て手段が、ｍ２の値がＭ２以下である場合または前記ステップｓ２１０でｍ２＝１とした場合に、ｎの値を調べ、ｎの値が、無線フレームにあらかじめ用意された、全スロットデマンドタイムスロット数Ｎ以下の場合はステップＳ２０７へ戻るステップ（ｓ２１１）と、スロットデマンドタイムスロット割り当て手段が、前記ステップｓ２１１でｎの値を調べた結果、ｎの値が、Ｎよりも大きい場合に、無線フレームのスロットデマンドタイムスロットの割り当てを終了するステップ（Ｓ２１２）と、を有することを特徴とするスロットデマンドタイムスロット割り当て方法である。
【００４３】
請求項４に記載の発明は、ひとつの基地局と複数の加入者局とが固定された場所で時分割多元接続方式により通信する固定無線アクセスシステムであって、無線フレームのスロットデマンドタイムスロットの割り当てを開始し、一般加入者局ナンバーを表す変数（ｍ２）を１に設定し、高品質加入者局ナンバーを表す変数（ｍ１）、スロットデマンドナンバーを表す変数（ｎ）を１に設定し、
【００４４】
品質加入者局（ｍ１）からのスロットデマンドＵser（ｍ１）を、スロットデマンドタイムスロットＳＤ（ｎ）割り当て、ｎ＝ｎ＋１、ｍ１＝ｍ１＋１とし、ｎの値を調べ、ｎの値があらかじめ設定された高品質加入者局ナンバー（ｍ１）の最大値Ｍ１以下である場合に、高品質加入者局（ｍ１）からのスロットデマンドＵser（ｍ１）を、スロットデマンドタイムスロットＳＤ（ｎ）割り当て、ｎ＝ｎ＋１、ｍ１＝ｍ１＋１とし、
【００４５】
ｎの値があらかじめ設定された高品質加入者局ナンバー（ｍ１）の最大値Ｍ１よりも大きい場合に、一般加入者局（ｍ２）からのスロットデマンドＵser（ｍ２）を、スロットデマンドタイムスロット（ＳＤ（ｎ））に割り当て、ｎ＝ｎ＋１、ｍ２＝ｍ２＋１とし、ｍ２の値を調べ、ｍ２の値があらかじめ設定された一般加入者局ナンバー（ｍ２）の最大値Ｍ２よりも大きい場合に、ｍ２＝１とし、ｎの値を調べ、ｎの値が、Ｎよりも大きい場合に、無線フレームのスロットデマンドタイムスロットの割り当てを終了し、
【００４６】
他方、ｍ２の値がＭ２以下である場合に、ｎの値を調べ、ｎの値が、Ｎよりも大きい場合に、無線フレームのスロットデマンドタイムスロットの割り当てを終了する、スロットデマンド割り当て手段を有することを特徴とする固定無線アクセスシステムである。
【００４７】
本発明は、サービス品質の差別化を実現するために、あらかじめ高品質サービスを提供する契約になっている高品質加入者局には優先的にスロットデマンドタイムスロットを割り当てる。
【００４８】
したがって、サービス品質を高く設定した加入者局の方が一般の加入者局よりもスロットデマンドタイムスロットの割り当て頻度が高くなる。
【００４９】
本発明は、スロットデマンドタイムスロットの割り当てにおいて、サービス品質を高く設定した加入者局の総数が、ひとつの無線フレームのスロットデマンドタイムスロットの総数を越えないように設定した上で、スロットデマンドタイムスロットを、サービス品質を高く設定した加入者局のスロットデマンドに優先的に割り当てる。
【００５０】
また、本発明は、サービス品質を高く設定した加入者局のスロットデマンドにスロットデマンドタイムスロットを割り当てた後に、余ったスロットデマンドタイムスロットを、一般の加入者局で公平になるように割り当てる。
【００５１】
したがって、サービス品質を高く設定した加入者局の方が一般の加入者局よりもスロットデマンドタイムスロットの割り当て頻度が高くなる。
【００５２】
【発明の実施の形態】
以下、図面を参照しつつ、本発明の好適な実施の形態を詳細に説明する。図１は、本発明の実施の形態の第１の例を示す図である。本実施の形態において、スロットデマンドタイムスロット割り当て手段は、以下のようにして、スロットデマンドタイムスロットの割り当てを行う。
【００５３】
スロットデマンドタイムスロット割り当て手段は、ステップｓ１０１で、時刻Ｔにおける無線フレームのスロットデマンドタイムスロットの割り当てを開始する。スロットデマンドタイムスロット割り当て手段としては、基地局を制御するコンピュータや基地局において無線フレームを制御するコンピュータ、基地局を制御する電子回路や基地局において無線フレームを制御する電子回路などの手段を用いることができる。
【００５４】
スロットデマンドタイムスロット割り当て手段は、ステップｓ１０２で、高品質加入者局ナンバーを表す変数（ｍ１）、一般加入者局ナンバーを表す変数（ｍ２）を、それぞれ１に設定する。高品質加入者局とは、基地局との高品質の通信が保証された加入者局をいう。高品質加入者局ナンバーとは、高品質加入者局は複数存在するところ、これを識別するための番号である。一般加入者局とは、上記高品質加入者局以外の加入者局をいう。一般加入者局ナンバーとは、一般加入者局は複数存在するところ、これを識別するための番号である。
【００５５】
スロットデマンドタイムスロット割り当て手段は、ステップＳ１０３で、スロットデマンドナンバーを表す変数（ｎ）を１に設定する。スロットデマンドナンバーとは、無線フレームに複数用意された、スロットデマンドタイムスロットを識別する番号である。以下、スロットデマンドナンバー（ｎ）のスロットデマンドタイムスロットをＳＤ（ｎ）とする。
【００５６】
スロットデマンドタイムスロット割り当て手段は、ステップＳ１０４で、スロットデマンドナンバー（ｎ）の値を調べる。その結果、ｎの値が高品質加入者局用に確保されたスロットデマンドタイムスロット数を表すパラメータ（ｐ）以下の場合は、ステップＳ１０５に進む。
【００５７】
スロットデマンドタイムスロット割り当て手段は、ステップＳ１０５で、高品質加入者局（ｍ１）からのスロットデマンド（以下、「Ｕser（ｍ１）」という）を、スロットデマンドタイムスロット（ＳＤ（ｎ））に割り当てる。
【００５８】
スロットデマンドタイムスロット割り当て手段は、ステップｓ１０６で、ｎ＝ｎ＋１、ｍ１＝ｍ１＋１とし、ステップｓ１０７でｍ１の値を調べる。その結果、ｍ１の値があらかじめ設定された高品質加入者局ナンバー（ｍ１）の最大値Ｍ１よりも大きい場合はステップｓ１０８に進み、ｍ１＝１とした後、ステップｓ１０４へ戻る。一方、ｍ１の値がＭ１以下である場合は、ステップＳ１０７からステップＳ１０８へ進むことなくステップｓ１０４へ戻る。
【００５９】
スロットデマンドタイムスロット割り当て手段は、ステップｓ１０４でｎの値がｐよりも大きくなった場合は、一般加入者局（ｍ２）からのスロットデマンド（以下、「Ｕser（ｍ２）」という）を割り当てるためにステップｓ１０９へ進む。
【００６０】
スロットデマンドタイムスロット割り当て手段は、ステップＳ１０９で、一般加入者局（ｍ２）からのスロットデマンド（以下、「Ｕser（ｍ２）」という）を、スロットデマンドタイムスロット（ＳＤ（ｎ））に割り当てる。
【００６１】
スロットデマンドタイムスロット割り当て手段は、ステップｓ１１０で、ｎ＝ｎ＋１、ｍ２＝ｍ２＋１とし、ステップｓ１１１でｍ２の値を調べる。その結果、ｍ２の値があらかじめ設定された一般加入者局ナンバー（ｍ２）の最大値Ｍ２よりも大きい場合はステップｓ１１２に進み、ｍ２＝１とした後、ステップｓ１１３へ進む。一方、ｍ２の値がＭ２以下である場合は、ステップＳ１１１からステップＳ１１２へ進むことなくステップｓ１１３へ進む。
【００６２】
スロットデマンドタイムスロット割り当て手段は、ステップｓ１１３で、ｎの値を調べ、ｎの値が、無線フレームにあらかじめ用意された、全スロットデマンドタイムスロット数Ｎ以下の場合はステップＳ１０９へ戻る。一方、ｎの値が、Ｎよりも大きい場合にはステップＳ１１４に進み、無線フレーム（Ｔ）のスロットデマンドタイムスロットの割り当てを終了する。
【００６３】
そして、スロットデマンドタイムスロット割り当て手段は、次に、時刻（Ｔ＋１）における無線フレーム（以下、「無線フレーム（Ｔ＋１）」という）のスロットデマンドタイムスロットの割り当てを開始する。無線フレーム（Ｔ＋１）のスロットデマンドタイムスロットの割り当ては、無線フレーム（Ｔ）と同様に、ステップＳ１０１から開始される。
【００６４】
以上のように、本実施の形態によれば、一般加入者局にスロットデマンドタイムスロットが割り当てられる前に、パラメータｐ個のスロットデマンドタイムスロットが高品質加入者局のスロットデマンドに優先的に割り当てられる。したがって、サービス品質を高く設定した高品質加入者局のスロットデマンドには、一般加入者局のスロットデマンドよりも、高い頻度でスロットデマンドタイムスロットが割り当てられることになる。
【００６５】
図２は、本発明の実施の形態の第２の例を示す図である。本実施の形態において、スロットデマンドタイムスロット割り当て手段は、以下のようにして、スロットデマンドタイムスロットの割り当てを行う。
【００６６】
スロットデマンドタイムスロット割り当て手段は、ステップｓ２０１で、時刻Ｔにおける無線フレームのスロットデマンドタイムスロットの割り当てを開始する。スロットデマンドタイムスロット割り当て手段としては、本実施の形態においても上記した実施の形態と同様に、基地局を制御するコンピュータや基地局において無線フレームを制御するコンピュータ、基地局を制御する電子回路や基地局において無線フレームを制御する電子回路などの手段を用いることができる。
【００６７】
スロットデマンドタイムスロット割り当て手段は、ステップｓ２０２で、一般加入者局ナンバーを表す変数（ｍ２）を１に設定する。スロットデマンドタイムスロット割り当て手段は、ステップＳ２０３で、高品質加入者局ナンバーを表す変数（ｍ１）、スロットデマンドナンバーを表す変数（ｎ）を１に設定する。
【００６８】
スロットデマンドタイムスロット割り当て手段は、ステップＳ２０４で、高品質加入者局（ｍ１）からのスロットデマンドＵser（ｍ１）を、スロットデマンドタイムスロットＳＤ（ｎ）に割り当てる。
【００６９】
スロットデマンドタイムスロット割り当て手段は、ステップｓ２０５で、ｎ＝ｎ＋１、ｍ１＝ｍ１＋１とし、ステップｓ２０６でｎの値を調べる。その結果、ｎの値があらかじめ設定された高品質加入者局ナンバー（ｍ１）の最大値Ｍ１よりも大きい場合はステップｓ２０７に進む。一方、ｎの値がＭ１以下である場合は、ステップｓ２０４へ戻る。
【００７０】
スロットデマンドタイムスロット割り当て手段は、ステップＳ２０７で、一般加入者局（ｍ２）からのスロットデマンド（以下、「Ｕser（ｍ２）」という）を、スロットデマンドタイムスロット（ＳＤ（ｎ））に割り当てる。
【００７１】
スロットデマンドタイムスロット割り当て手段は、ステップｓ２０８で、ｎ＝ｎ＋１、ｍ２＝ｍ２＋１とし、ステップｓ２０９でｍ２の値を調べる。その結果、ｍ２の値があらかじめ設定された一般加入者局ナンバー（ｍ２）の最大値Ｍ２よりも大きい場合はステップｓ２１０に進み、ｍ２＝１とした後、ステップｓ２１１へ進む。一方、ｍ２の値がＭ２以下である場合は、ステップＳ２０９からステップＳ２１０へ進むことなくステップｓ２１１へ進む。
【００７２】
スロットデマンドタイムスロット割り当て手段は、ステップｓ２１１で、ｎの値を調べ、ｎの値が、無線フレームにあらかじめ用意された、全スロットデマンドタイムスロット数Ｎ以下の場合はステップＳ２０７へ戻る。一方、ｎの値が、Ｎよりも大きい場合にはステップＳ２１２に進み、無線フレーム（Ｔ）のスロットデマンドタイムスロットの割り当てを終了する。
【００７３】
そして、スロットデマンドタイムスロット割り当て手段は、次に、時刻（Ｔ＋１）における無線フレームのスロットデマンドタイムスロットの割り当てを開始する。無線フレーム（Ｔ＋１）のスロットデマンドタイムスロットの割り当ては、無線フレーム（Ｔ）と同様に、ステップＳ２０１から開始される。
以上のように、本実施の形態によれば、サービス品質を高く設定した高品質加入者局の総数は、ひとつの無線フレームの中に用意されたスロットデマンドの総数を越えないように設定される。
【００７４】
したがって、全ての高品質加入者局のスロットデマンドを、一つの無線フレーム内で割り当てることが可能になる。よって、本実施の形態によれば、実施の形態の第１の例と比較して、高品質加入者局に対して、より高品質の通信サービスを提供することができる。また、一般加入者局には、余ったスロットデマンドを公平に割り当てることができる。
【００７５】
【発明の効果】
以上説明したように、本発明によれば、サービス品質を高く設定した高品質加入者局のスロットデマンドには、優先的に無線フレームのタイムスロットを割り当てることができる。
【００７６】
したがって、ひとつの基地局に収容されている複数の加入者局間で、サービス品質における差別化を実現することができる。
【図面の簡単な説明】
【図１】本発明の実施の形態の第１の例を示す図である。
【図２】本発明の実施の形態の第２の例を示す図である。
【図３】ＴＤＭＡ方式を使ったｐ−ＭＰ型の無線アクセスシステムにおける、従来の無線フレームを示す図である。
【図４】従来のスロットデマンドタイムスロットの割り当て方法を示す図である。
【図１】
0003735077.tif 000002
【図２】
0003735077.tif 000003
【図３】
0003735077.tif 000004
【図４】
0003735077.tif 000005